(57)【要約】      （修正有）【課題】電柱を建てる穴の掘削時に、穴の中に出土した転石を、穴に落下させることなく穴の外へ取り出す転石除去具を提供する。【解決手段】差し金状の二枚の把持部を間隔維持金物７で平行に固定した一対の長形把持部１と、差し金状の長い方が一対の長形把持部１の長い方より短い差し金状把持部二枚を間隔維持金物７で平行に固定した一対の短形把持部２を、一対の長形把持部１の長い方の中間と一対の短形把持部２の長い方の端を支持棒３で回転可能に取付、支持棒３を回転軸として回転することにより、一対の長形把持部１の短い方の先端と一対の短形把持部２の短い方の先端が近づいたり離れたりする。【選択図】図１
0003180394.tif 000002
【実用新案登録請求の範囲】
【請求項１】
一対の把持部１と一対の把持部２を、支持棒３で回転自由に連結することを特徴とする転石除去具。
【請求項２】
支持棒４にボルト６の端を回転可能に取り付け、支持棒５にはボルト６と同じサイズのネジ穴を設け、その中をボルト６を貫通させるとともに、ボルト６には操作棒１１を固定することを特徴とする転石除去具。
【請求項３】
一対の把持部１相互と一対の把持部２相互は、間隔維持金物７で固定し適宜間隔を設け、一対の把持部１と一対の把持部２の先端には突起を取り付けることを特徴とする転石除去具。
【考案の詳細な説明】
【技術分野】
【０００１】  本考案は、建柱用掘削穴に出土した転石を、穴から除去する工具に関し、掘削作業の安全及び作業効率向上に資す転石除去具に関する。
【背景技術】
【０００２】  従来の転石除去方法は、円柱形の穴の中にある転石に、地上からワイヤを掛け吊り上げている。【０００３】  しかしながら、地上から穴の中の転石にワイヤーを掛けることは難しく、ワイヤーを掛けた転石を吊り上げている途中で、ワイヤーから転石がはずれ落下するという欠点があった。
【考案の概要】
【考案が解決しようとする課題】
【０００４】  従来の転石除去方法は、円柱形の穴の中にある転石に、地上からワイヤを掛け吊り上げている。【０００５】  地上から転石にワイヤーを掛けることは難しく、ワイヤーを掛けた転石を吊り上げている途中に、ワイヤーから転石がはずれ落下することもある。転石の落下は作業員を危険にさらさせることになる。【０００６】  転石にワイヤーを取り付けられない時は、建柱位置を別の位置に変更しなければならないが、別の位置に建柱するには、改めて地権者の承諾を得なければならない。地権者にすぐ連絡が取れなければ作業は中止することになる。【０００７】  本考案は、以上のような従来の欠点に鑑み、地上から掘削穴の中の転石を堅牢に把持し、安全に地上へ吊り出す転石除去具を提供することを目的としている。
【課題を解決するための手段】
【０００８】  上記目的を達成するために、本考案は一対の把持部１と一対の把持部２を、支持棒３で回転自由に連結することで把持部１の先端と把持部２の先端の間隔を狭くし、転石を把持する転石除去具を構成している。【０００９】  支持棒４にボルト６の端を回転可能に取り付け、支持棒５にはボルト６と同じサイズのネジ穴を設け、その中をボルト６を貫通させる。ボルトを右回転させることにより支持棒４、５の間隔が広がると同時に把持部１、２の先端が狭くなり、転石９をに把持する。ボルト６を左回転すると把持部１、２の間隔は広がり、転石９は開放される。上下に位置する支持棒４、５に連結されたボルト６に固定された操作棒１１の先端は、掘削穴を通り地上へ出ている。操作棒１１を地上で操作することで、転石９を把持するとともに地上に吊り上げることが可能な転石除去具を構成している。【００１０】  一対の把持部１相互と一対の把持部２相互は、間隔維持金物７で固定することで適宜間隔を設け、それら把持部の先端には突起を取り付けている。突起の付いた４点で転石９を把持するため、安定して堅牢に、転石９を把持することが可能な転石除去具を構成している。
【考案の効果】
【００１１】  以上の説明から明らかなように、本考案にあっては次に列挙する効果が得られる。
（１）一対の把持部１と一対の把持部２が支持棒３で連結されているので、支持棒３を支点に回転することができる。
したがって、一対の把持部１の先端と一対の把持部２の先端は、転石９を把持することができる。【００１２】（２）支持棒４にボルト６の端を回転可能に取り付け、支持棒５にはボルト６と同じサイズのネジ穴を設け、その中をボルト６を貫通させる構成となっている。また支持棒４、５は上下に位置しているので、支持棒４、５に連結されたボルト６に固定された操作棒１１の先端は、掘削穴を通って地上に出る構成となっている。操作棒１１を地上で回転させることで支持棒４、５間の間隔が広がると同時に把持部１、２の先端の間隔を狭くすることができる。
したがって、把持部１、２の先端で転石９を地上から把持することができる。【００１３】（３）一対の把持部１相互と一対の把持部２相互は間隔維持金物７で固定され、適宜間隔を設けてある。さらに一対の把持部１と一対の把持部２の先端には突起を取り付けた構成になっているので、４点で鋭く転石９を把持することができる。
したがって、転石９を安定して堅牢に把持することができる。
【図面の簡単な説明】
【００１４】
【図１】（ａ）、（ｂ）は、それぞれ本考案の正面、側面斜視図である。
【図２】本考案の突起部分の拡大図である。
【図３】本考案の実施形態図である。
【考案を実施するための形態】
【００１５】  以下、本考案の実施の形態を図に基づいて説明する。
【実施例１】
【００１６】  図３は、本考案装置の実施例１の断面図であって、本考案装置を地上から掘削穴へ下ろし、転石９へ覆い被し、操作棒１１を回転する実施例である。
【実施例２】
【００１７】  図１は、本考案装置の実施例２の斜視図であって、ボルト６を回転すると把持部１，２の先端の間隔が狭まり、転石９を把持する実施例である。
【実施例３】
【００１８】  図２は、本考案装置の突起部の拡大図であって、一対の把持部１は適宜間隔を保っているため、球状の転石９を安定して把持するとともに、把持部先端に取り付けられた突起８が転石９に食い込むため、転石９を堅牢に把持する実施例である。
【産業上の利用可能性】
【００１９】  本考案は、建柱作業を実施する業界で利用される。
【符号の説明】
【００２０】１  長形の把持部
２  短形の把持部
３  把持部１、２を連結する支持棒
４  ボルト６の端を留める支持棒
５  ボルト６を貫通させる支持棒
６  ボルト
７  間隔維持金物
８  突起
９  転石
１０  掘削穴
１１  操作棒
【図１】
0003180394.tif 000003
【図２】
0003180394.tif 000004
【図３】
0003180394.tif 000005
【手続補正書】
【提出日】平成24年9月27日(2012.9.27)
【手続補正１】
【補正対象書類名】実用新案登録請求の範囲
【補正対象項目名】全文
【補正方法】変更
【補正の内容】
【実用新案登録請求の範囲】
【請求項１】
差し金状の二枚の把持部を間隔維持金物（７）で平行に固定した一対の長形把持部（１）と、差し金状の長い方が一対の長形把持部（１）の長い方より短い差し金状把持部二枚を間隔維持金物（７）で平行に固定した一対の短形把持部（２）を、一対の長形把持部（１）の長い方の中間と一対の短形把持部（２）の長い方の端を支持棒（３）で回転可能に取付、支持棒（３）を回転軸として回転することにより、一対の長形把持部（１）の短い方の先端と一対の短形把持部（２）の短い方の先端が近づいたり離れたりすることを特徴とする転石除去具。
【請求項２】
ボルト（６）と同じサイズの雌ネジ穴を施した支持棒（５）は、ボルト（６）を貫通させた状態で一対の長形把持部（１）間の長い方の先端に回転可能に取付、支持棒（４）はボルト（６）の先端を回転可能に取り付けた状態で一対の短形把持部（２）間の曲部に取り付けることにより、ボルト（６）を回転すると支持棒（４）（５）間の距離が近づいたり離れたりし、一対の長形把持部（１）と一対の短形把持部（２）が支持棒（３）を回転軸として回転することを特徴とする請求項１記載の転石除去具。
【請求項３】
一対の長形把持部（１）と一対の短形把持部（２）の短い方の先端４カ所に、突起部（８）を長形把持部（１）の短い方と短形把持部（２）の短い方が対峙する方向に取り付けることにより、転石（９）に突起部（８）が食い込むことで堅固に把持することを特徴とする請求項１記載の転石除去具。